(57)【要約】  映画館構造(1)は、床(2)と天井(3)と前方および後方の壁(5、8)と側壁(10)との間に画定された観客席(12)を備えており、その観客席(12)は、その幅(W)と同様の長さ(L)およびその幅(W)の約半分の高さ(H1)のものである。実質的に観客席(12)の幅および高さであるスクリーン(14)が、前方の壁(5)に隣接して配置される。座席(18)の列(17)が、約22.5°の角度で、後方に向かって上向きに階段状とさせられる。前列(17a)の座席(18)は床(2)上に配置され、第二列およびそれ以後の列(17)の座席(18)は、対応する土台(20)上に載置される。最後位土台(20a)は、後方の壁(8)に隣接して配置され、天井(3)から下方に約2メートルの高さ(H2)で離間される。映写機筺体(23)内の映写機(24)が、観客席(12)内において最後位土台(20a)上の中央に配置され、映写機(24)のレンズポート(22)は、天井3の下で約0.5メートルの高さ位置に配置される。
2015504495.tif 000002
【特許請求の範囲】
【請求項１】
映画館構造であって、
床と、
前記床から上に離間された天井と、
前記床と前記天井との間で延在する前方の壁と、
前記前方の壁から離間され、前記床と前記天井との間で延在し、前記前方の壁、前記床、および前記天井と共に観客席を画定する後方の壁と
を備え、
前記観客席は、前記前方の壁から前記後方の壁までの長さが、前記前方の壁に沿った前記観客席の幅の1.2倍以下のものであり、
前記観客席は、前記前方の壁に隣接しての前記床と前記天井との間の高さが、前記前方の壁に隣接しての前記観客席の幅の0.4倍から前記前方の壁に隣接しての前記観客席の幅の0.6倍までの範囲のものであり、
前記前方の壁に隣接して配置されるスクリーンは、前記前方の壁に沿った長さが前記前方の壁に隣接しての前記観客席の幅と実質的に同様のものであり、高さが前記前方の壁に隣接しての前記観客席の高さと実質的に同様のものであり、
複数列の座席が前記観客席に配置され、
前記座席の前記列のうちの一部がそれぞれの土台上に載置され、
前記それぞれの列の前記土台は、前記後方の壁に向かって概して上向きに階段状とされ、前記それぞれの列の前記座席が上に載置される上方を向く表面を有し、
前記座席の前記列のうちの後列の前記土台の前記上方を向く表面は、前記天井から下方に、2メートルから3メートルまでの範囲の距離に離間され、
前記座席の前記列のうちの前列は、前記映画館構造の前記床上に配置され、
映写機のレンズポートが、前記天井と前記座席の前記後列の前記土台の前記上方を向く表面との間の距離の0.25倍から、前記天井と前記座席の前記後列の前記土台の前記上方を向く表面との間の距離の0.75倍までの範囲で、前記天井の下での高さ位置に配置された状態で、前記映写機が前記座席の前記後列の前記土台上に配置される映画館構造。
【請求項２】
前記前方の壁から前記後方の壁までの前記観客席の長さは、前記前方の壁に隣接しての前記観客席の幅の0.8倍から、前記前方の壁に隣接しての前記観客席の幅の1.2倍までの範囲にある、請求項1に記載の映画館構造。
【請求項３】
前記前方の壁から前記後方の壁までの前記観客席の長さは、前記前方の壁に隣接しての前記観客席の幅の0.9倍から、前記前方の壁に隣接しての前記観客席の幅の1.1倍までの範囲にある、請求項1または2に記載の映画館構造。
【請求項４】
前記前方の壁から前記後方の壁までの前記観客席の長さは、前記前方の壁に隣接しての前記観客席の幅と実質的に同様である、請求項1から3のいずれか一項に記載の映画館構造。
【請求項５】
前記後列の座席の前記土台の前記上方を向く表面は、前記天井から下方で、2メートルから2.5メートルの範囲の距離に離間される、請求項1から4のいずれか一項に記載の映画館構造。
【請求項６】
前記後列の座席の前記土台の前記上方を向く表面は、前記天井から下方で、約2メートルの距離に離間される、請求項1から5のいずれか一項に記載の映画館構造。
【請求項７】
各列の座席の前記土台における前記土台の前部から前記土台の後部までの幅が、0.9メートルから1.5メートルの範囲にある、請求項1から6のいずれか一項に記載の映画館構造。
【請求項８】
各列の座席の前記土台における前記土台の前部から前記土台の後部までの幅が、1メートルから1.3メートルの範囲にある、請求項1から7のいずれか一項に記載の映画館構造。
【請求項９】
各列の座席の前記土台における前記土台の前部から前記土台の後部までの幅が、約1メートルである、請求項1から8のいずれか一項に記載の映画館構造。
【請求項１０】
前記座席の第二列の前記土台の前記上方を向く表面は、前記映画館構造の前記床から上へ、0.55メートルから0.65メートルの範囲の高さにある、請求項1から9のいずれか一項に記載の映画館構造。
【請求項１１】
前記座席の前記第二列の前記土台の前記上方を向く表面は、前記映画館構造の前記床から上へ、0.58メートルから0.62メートルの範囲の高さにある、請求項1から10のいずれか一項に記載の映画館構造。
【請求項１２】
前記座席の前記第二列の前記土台の前記上方を向く表面は、前記映画館構造の前記床から上へ、約0.6メートルの高さにある、請求項1から11のいずれか一項に記載の映画館構造。
【請求項１３】
前記座席の第三列およびそれ以後の列から前記座席の前記後列までの各々の前記土台の前記上方を向く表面は、前記座席の直前の列の前記土台の前記上方を向く表面から上へ、0.55メートルから0.65メートルの範囲の高さにある、請求項1から12のいずれか一項に記載の映画館構造。
【請求項１４】
前記座席の前記第三列およびそれ以後の列から前記座席の前記後列までの各々の前記土台の前記上方を向く表面は、前記座席の直前の列の前記土台の前記上方を向く表面から上へ、0.58メートルから0.62メートルの範囲の高さにある、請求項1から13のいずれか一項に記載の映画館構造。
【請求項１５】
前記座席の前記第三列およびそれ以後の列から前記座席の前記後列までの各々の前記土台の前記上方を向く表面は、前記座席の直前の列の前記土台の前記上方を向く表面から上へ、約0.6メートルの高さにある、請求項1から14のいずれか一項に記載の映画館構造。
【請求項１６】
前記座席の前記後列の前記土台が前記後方の壁に隣接して配置される、請求項1から15のいずれか一項に記載の映画館構造。
【請求項１７】
前記座席の前記前列は、前記前列の中央にある前記座席、または、前記前列の中央にある前記座席が配置されるであろう位置が、前記前方の壁に隣接しての前記観客席の幅の0.3倍以上の距離で前記スクリーンから垂直方向に離間されるように、前記観客席に配置される、請求項1から16のいずれか一項に記載の映画館構造。
【請求項１８】
前記座席の前記列は互いから等しく離間される、請求項1から17のいずれか一項に記載の映画館構造。
【請求項１９】
前記座席の前記列は、前記映画館構造の前記床と、21°から40°の範囲にある階段状角度を定める、請求項1から18のいずれか一項に記載の映画館構造。
【請求項２０】
前記座席の前記列によって前記映画館構造の前記床と定められる前記階段状角度は、21°から30°の範囲にある、請求項19に記載の映画館構造。
【請求項２１】
前記座席の前記列によって前記映画館構造の前記床と定められる前記階段状角度は、約22.5°である、請求項19または20に記載の映画館構造。
【請求項２２】
前記前方の壁に隣接しての前記観客席の高さは、前記前方の壁に隣接しての前記観客席の幅の0.45倍から、前記前方の壁に隣接しての前記観客席の幅の0.55倍までの範囲にある、請求項1から21のいずれか一項に記載の映画館構造。
【請求項２３】
前記前方の壁に隣接しての前記観客席の高さは、前記前方の壁に隣接しての前記観客席の幅の0.48倍から、前記前方の壁に隣接しての前記観客席の幅の0.52倍までの範囲にある、請求項1から22のいずれか一項に記載の映画館構造。
【請求項２４】
前記前方の壁に隣接しての前記観客席の高さは、前記前方の壁に隣接しての前記観客席の幅の約0.5倍である、請求項1から23のいずれか一項に記載の映画館構造。
【請求項２５】
前記映画館構造の前記天井は、前記映画館構造の前記床と実質的に平行に延在する、請求項1から24のいずれか一項に記載の映画館構造。
【請求項２６】
前記映画館構造の前記床は実質的に水平に延在する、請求項1から25のいずれか一項に記載の映画館構造。
【請求項２７】
前記スクリーンの高さは、前記観客席の幅の0.4倍から、前記観客席の幅の0.6倍までの範囲にある、請求項1から26のいずれか一項に記載の映画館構造。
【請求項２８】
前記スクリーンの高さは、前記観客席の幅の0.45倍から、前記観客席の幅の0.55倍までの範囲にある、請求項1から27のいずれか一項に記載の映画館構造。
【請求項２９】
前記スクリーンの高さは、前記観客席の幅の約0.5倍である、請求項1から28のいずれか一項に記載の映画館構造。
【請求項３０】
前記スクリーンは実質的に水平に延びる下縁を定め、前記スクリーンの前記下縁は前記床の上に200mm以下で配置される、請求項1から29のいずれか一項に記載の映画館構造。
【請求項３１】
前記スクリーンの前記下縁は前記床の上に100mm以下で配置される、請求項30に記載の映画館構造。
【請求項３２】
前記スクリーンの前記下縁は前記床に隣接して配置される、請求項30または31に記載の映画館構造。
【請求項３３】
前記映写機の前記レンズポートは、前記天井と前記座席の前記後列の前記土台の前記上方を向く表面との間の距離の0.4倍から、前記天井と前記座席の前記後列の前記土台の前記上方を向く表面との間の距離の0.6倍までの範囲で、前記天井の下での高さ位置に配置される、請求項1から32のいずれか一項に記載の映画館構造。
【請求項３４】
前記映写機の前記レンズポートは、前記天井と前記座席の前記後列の前記土台の前記上方を向く表面との間の距離の約0.5倍で、前記天井の下での高さ位置に配置される、請求項1から33のいずれか一項に記載の映画館構造。
【請求項３５】
前記映写機は、前記座席の前記後列の前記土台に配置される筺体に配置される、請求項1から34のいずれか一項に記載の映画館構造。
【請求項３６】
前記映写機が配置される前記筺体は消音筺体を備える、請求項35に記載の映画館構造。
【請求項３７】
前記映写機は、前記座席の前記後列の前記土台に、前記観客席の幅に対して実質的に中央に配置される、請求項1から36のいずれか一項に記載の映画館構造。
【請求項３８】
前記観客席の一方の側方に沿って、前記座席の前記後列から前記前方の壁に向かって、前記座席の前記列の対応する端に隣接して延在する少なくとも1つの通路が配置される、請求項1から37のいずれか一項に記載の映画館構造。
【請求項３９】
前記観客席のそれぞれの側方に沿って、前記座席の前記後列から前記前方の壁に向かって、前記座席の前記列の対応する端に隣接して延在する一対の通路が設けられる、請求項38に記載の映画館構造。
【請求項４０】
一対の離間された側壁が、前記床と前記天井との間で、かつ、前記前方の壁および前記後方の壁のそれぞれの相対する端同士において前記前方の壁と前記後方の壁との間で延在する、請求項1から39のいずれか一項に記載の映画館構造。
【請求項４１】
前記側壁同士は互いと実質的に平行に延在する、請求項40に記載の映画館構造。
【請求項４２】
各側方の通路が、隣接する前記側壁と、前記座席の前記列の隣接する前記端との間に画定される、請求項39または40に記載の映画館構造。
【請求項４３】
前記前列と前記第二列と前記後列とを除いた前記列の前記座席の各々は連続して延在する、請求項1から42のいずれか一項に記載の映画館構造。
【請求項４４】
中央の間隙が、前記座席の前記後列に、前記映写機を前記後列に収容するために画定される、請求項1から43のいずれか一項に記載の映画館構造。
【請求項４５】
中央の間隙が、前記座席の前記前列および前記第二列に、少なくとも1台の車椅子を収容するために配置される、請求項1から44のいずれか一項に記載の映画館構造。
【請求項４６】
前記観客席の前記前方の壁に隣接しての前記観客席の幅は、5メートルから15メートルの範囲にある、請求項1から45のいずれか一項に記載の映画館構造。
【請求項４７】
前記観客席の前記前方の壁に隣接しての前記観客席の幅は、7.5メートルから12.5メートルの範囲にある、請求項1から46のいずれか一項に記載の映画館構造。
【請求項４８】
前記観客席の前記前方の壁に隣接しての前記観客席の幅は、約10メートルである、請求項1から47のいずれか一項に記載の映画館構造。
【請求項４９】
映画館構造を建設するための方法であって、
床を提供するステップと、
前記床から上に離間された天井を提供するステップと、
前記床と前記天井との間で延在する前方の壁を提供するステップと、
前記前方の壁から離間され、前記床と前記天井との間で延在し、前記前方の壁、前記床、および前記天井と共に観客席を画定する後方の壁を提供するステップであって、前記前方の壁および前記後方の壁は、前記観客席が、前記前方の壁から前記後方の壁までの長さが、前記前方の壁に沿った前記観客席の幅の1.2倍以下のものとなるように配置され、前記観客席は、前記前方の壁に隣接しての前記床と前記天井との間の高さが、前記前方の壁に隣接しての前記観客席の幅の0.4倍から前記前方の壁に隣接しての前記観客席の幅の0.6倍までの範囲のものであるステップと、
前記前方の壁に隣接してのスクリーンを配置するステップであって、前記スクリーンは、前記前方の壁に沿った長さが前記前方の壁に隣接しての前記観客席の幅と実質的に同様のものであり、高さが前記前方の壁に隣接しての前記観客席の高さと実質的に同様のものであるステップと、
前記観客席においてそれぞれの土台の上方を向く表面上に載置される複数列の座席を配置するステップと、
前記座席の前記それぞれの列の前記土台を、前記座席の前記列のうちの後列の前記土台の前記上方を向く表面が、前記天井から下方に、2メートルから3メートルまでの範囲の距離に離間された状態で、前記後方の壁に向かって概して上向きに階段状とするステップと、
前記座席の前記列のうちの前列を、前記映画館構造の前記床に配置するステップと、
映写機のレンズポートが、前記天井と前記後列の座席の前記土台の前記上方を向く表面との間の距離の0.25倍から、前記天井と前記後列の座席の前記土台の前記上方を向く表面との間の距離の0.75倍までの範囲で、前記天井の下での高さ位置に配置された状態で、前記映写機を前記後列の座席の前記土台上に配置するステップと
を含む方法。
【請求項５０】
前記観客席の長さが、前記前方の壁に隣接しての前記観客席の幅の0.8倍から、前記前方の壁に隣接しての前記観客席の幅の1.2倍までの範囲にあるように、前記前方の壁と前記後方の壁とが配置される、請求項49に記載の方法。
【請求項５１】
前記観客席の長さが、前記前方の壁に隣接しての前記観客席の幅の0.9倍から、前記前方の壁に隣接しての前記観客席の幅の1.1倍までの範囲にあるように、前記前方の壁と前記後方の壁とが配置される、請求項49または50に記載の方法。
【請求項５２】
前記観客席の長さが、前記前方の壁に隣接しての前記観客席の幅と実質的に同様であるように、前記前方の壁と前記後方の壁とが配置される、請求項49から51のいずれか一項に記載の方法。
【請求項５３】
前記後列の座席の前記土台の前記上方を向く表面は、前記天井から下方で、2メートルから2.5メートルの範囲の距離に離間される、請求項49から52のいずれか一項に記載の方法。
【請求項５４】
前記後列の座席の前記土台の前記上方を向く表面は、前記天井から下方で、約2メートルの距離に離間される、請求項49から53のいずれか一項に記載の方法。
【請求項５５】
各列の座席の前記土台における前記土台の前部から前記土台の後部までの幅が、0.9メートルから1.5メートルの範囲にある、請求項49から54のいずれか一項に記載の方法。
【請求項５６】
各列の座席の前記土台における前記土台の前部から前記土台の後部までの幅が、1メートルから1.3メートルの範囲にある、請求項49から55のいずれか一項に記載の方法。
【請求項５７】
各列の座席の前記土台における前記土台の前部から前記土台の後部までの幅が、約1メートルである、請求項49から56のいずれか一項に記載の方法。
【請求項５８】
前記座席の第二列の前記土台の前記上方を向く表面は、前記映画館構造の前記床から上へ、0.55メートルから0.65メートルの範囲の高さにある、請求項49から57のいずれか一項に記載の方法。
【請求項５９】
前記座席の前記第二列の前記土台の前記上方を向く表面は、前記映画館構造の前記床から上へ、0.58メートルから0.62メートルの範囲の高さにある、請求項49から58のいずれか一項に記載の方法。
【請求項６０】
前記座席の前記第二列の前記土台の前記上方を向く表面は、前記映画館構造の前記床から上へ、約0.6メートルの高さにある、請求項49から59のいずれか一項に記載の方法。
【請求項６１】
前記座席の第三列およびそれ以後の列から前記座席の前記後列までの各々の前記土台の前記上方を向く表面は、前記座席の直前の列の前記土台の前記上方を向く表面から上へ、0.55メートルから0.65メートルの範囲の高さにある、請求項49から60のいずれか一項に記載の方法。
【請求項６２】
前記座席の前記第三列およびそれ以後の列から前記座席の前記後列までの各々の前記土台の前記上方を向く表面は、前記座席の直前の列の前記土台の前記上方を向く表面から上へ、0.58メートルから0.62メートルの範囲の高さにある、請求項49から61のいずれか一項に記載の方法。
【請求項６３】
前記座席の前記第三列およびそれ以後の列から前記座席の前記後列までの各々の前記土台の前記上方を向く表面は、前記座席の直前の列の前記土台の前記上方を向く表面から上へ、約0.6メートルの高さにある、請求項49から62のいずれか一項に記載の方法。
【請求項６４】
前記座席の前記後列の前記土台が前記後方の壁に隣接して配置される、請求項49から63のいずれか一項に記載の方法。
【請求項６５】
前記座席の前記前列は、前記前列の中央にある前記座席、または、前記前列の中央にある前記座席が配置されるであろう位置が、前記前方の壁に隣接しての前記観客席の幅の0.3倍以上の距離で前記スクリーンから垂直方向に離間されるように、前記観客席に配置される、請求項49から64のいずれか一項に記載の方法。
【請求項６６】
前記座席の前記列は互いから等しく離間される、請求項49から65のいずれか一項に記載の方法。
【請求項６７】
前記座席の前記列は、前記映画館構造の前記床と、21°から40°の範囲にある階段状角度を定める、請求項49から66のいずれか一項に記載の方法。
【請求項６８】
前記座席の前記列によって前記映画館構造の前記床と定められる前記階段状角度は、21°から30°の範囲にある、請求項67に記載の方法。
【請求項６９】
前記座席の前記列によって前記映画館構造の前記床と定められる前記階段状角度は、約22.5°である、請求項67または68に記載の方法。
【請求項７０】
前記前方の壁に隣接しての前記観客席の高さは、前記前方の壁に隣接しての前記観客席の幅の0.45倍から、前記前方の壁に隣接しての前記観客席の幅の0.55倍までの範囲にある、請求項49から69のいずれか一項に記載の方法。
【請求項７１】
前記前方の壁に隣接しての前記観客席の高さは、前記前方の壁に隣接しての前記観客席の幅の0.48倍から、前記前方の壁に隣接しての前記観客席の幅の0.52倍までの範囲にある、請求項49から70のいずれか一項に記載の方法。
【請求項７２】
前記前方の壁に隣接しての前記観客席の高さは、前記前方の壁に隣接しての前記観客席の幅の約0.5倍である、請求項49から71のいずれか一項に記載の方法。
【請求項７３】
前記映画館構造の前記天井は、前記映画館構造の前記床と実質的に平行に延在する、請求項49から72のいずれか一項に記載の方法。
【請求項７４】
前記映画館構造の前記床は実質的に水平に延在する、請求項49から73のいずれか一項に記載の方法。
【請求項７５】
前記スクリーンの高さは、前記観客席の幅の0.4倍から、前記観客席の幅の0.6倍までの範囲にある、請求項49から74のいずれか一項に記載の方法。
【請求項７６】
前記スクリーンの高さは、前記観客席の幅の0.45倍から、前記観客席の幅の0.55倍までの範囲にある、請求項49から75のいずれか一項に記載の方法。
【請求項７７】
前記スクリーンの高さは、前記観客席の幅の約0.5倍である、請求項49から76のいずれか一項に記載の方法。
【請求項７８】
前記スクリーンは実質的に水平に延びる下縁を定め、前記スクリーンの前記下縁は前記床の上に200mm以下で配置される、請求項49から77のいずれか一項に記載の方法。
【請求項７９】
前記スクリーンの前記下縁は前記床の上に100mm以下で配置される、請求項78に記載の方法。
【請求項８０】
前記スクリーンの前記下縁は前記床に隣接して配置される、請求項78または79に記載の方法。
【請求項８１】
前記映写機の前記レンズポートは、前記天井と前記座席の前記後列の前記土台の前記上方を向く表面との間の距離の0.4倍から、前記天井と前記座席の前記後列の前記土台の前記上方を向く表面との間の距離の0.6倍までの範囲で、前記天井の下での高さ位置に配置される、請求項49から80のいずれか一項に記載の方法。
【請求項８２】
前記映写機の前記レンズポートは、前記天井と前記座席の前記後列の前記土台の前記上方を向く表面との間の距離の約0.5倍で、前記天井の下での高さ位置に配置される、請求項49から81のいずれか一項に記載の方法。
【請求項８３】
前記映写機は、前記座席の前記後列の前記土台に配置される筺体に配置される、請求項49から82のいずれか一項に記載の方法。
【請求項８４】
前記映写機が配置される前記筺体は消音筺体を備える、請求項83に記載の方法。
【請求項８５】
前記映写機は、前記座席の前記後列の前記土台に、前記観客席の幅に対して実質的に中央に配置される、請求項49から84のいずれか一項に記載の方法。
【請求項８６】
前記観客席の一方の側方に沿って、前記座席の前記後列から前記前方の壁に向かって、前記座席の前記列の対応する端に隣接して延在する少なくとも1つの通路が配置される、請求項49から85のいずれか一項に記載の方法。
【請求項８７】
前記観客席のそれぞれの側方に沿って、前記座席の前記後列から前記前方の壁に向かって、前記座席の前記列の対応する端に隣接して延在する一対の通路が設けられる、請求項86に記載の方法。
【請求項８８】
一対の離間された側壁が、前記床と前記天井との間で、かつ、前記前方の壁および前記後方の壁のそれぞれの相対する端同士において前記前方の壁と前記後方の壁との間で延在する、請求項49から87のいずれか一項に記載の方法。
【請求項８９】
前記側壁同士は互いと実質的に平行に延在する、請求項88に記載の方法。
【請求項９０】
各側方の通路が、隣接する前記側壁と、前記座席の前記列の隣接する前記端との間に画定される、請求項88または89に記載の方法。
【請求項９１】
前記前列と前記第二列と前記後列とを除いた前記列の座席の各々は連続して延在する、請求項49から90のいずれか一項に記載の方法。
【請求項９２】
中央の間隙が、前記座席の前記後列に、前記映写機を前記後列に収容するために画定される、請求項49から91のいずれか一項に記載の方法。
【請求項９３】
中央の間隙が、前記座席の前記前列および前記第二列に、少なくとも1台の車椅子を収容するために配置される、請求項49から92のいずれか一項に記載の方法。
【請求項９４】
前記観客席の前記前方の壁に隣接しての前記観客席の幅は、5メートルから15メートルの範囲にある、請求項49から93のいずれか一項に記載の方法。
【請求項９５】
前記観客席の前記前方の壁に隣接しての前記観客席の幅は、7.5メートルから12.5メートルの範囲にある、請求項49から94のいずれか一項に記載の方法。
【請求項９６】
前記観客席の前記前方の壁に隣接しての前記観客席の幅は、約10メートルである、請求項49から95のいずれか一項に記載の方法。
【請求項９７】
床と、
前記床から上に離間された天井と、
前記床と前記天井との間で延在する前方の壁と、
前記前方の壁から離間され、前記床と前記天井との間で延在し、前記前方の壁、前記床、および前記天井と共に観客席を画定する後方の壁と、
前記観客席において前記前方の壁に隣接して配置されるスクリーンと、
前記観客席に配置され、前記後方の壁に向かって上向きに階段状とされた複数列の座席と、
前記座席の後列であって、前記後列の前記座席が支持される上方を向く表面を定める土台上に載置され、前記後列の座席の前記土台の前記上方を向く表面が前記天井から下で2メートル以上の高さ位置にある前記座席の後列と、
前記観客席内に配置されると共に前記後列の座席の前記土台上に載置され、前記天井の下で、前記天井から500mm以上の高さ位置にあるレンズポートを備える映写機と
を備える映画館構造。
【請求項９８】
前記後列の座席の前記土台の前記上方を向く表面は、前記天井から下で、2メートルから3メートルまでの範囲の高さ位置にある、請求項97に記載の映画館構造。
【請求項９９】
前記後列の座席の前記土台の前記上方を向く表面は、前記天井から下で、2メートルから2.5メートルの範囲の高さ位置にある、請求項97または98に記載の映画館構造。
【請求項１００】
前記後列の座席の前記土台の前記上方を向く表面は、前記天井から下で、約2メートルの高さ位置にある、請求項97から99のいずれか一項に記載の映画館構造。
【請求項１０１】
前記天井から下での前記映写機の前記レンズポートの高さ位置は、前記天井と前記後列の座席が上に載置される前記土台の前記上方を向く表面との間の間隔の0.25倍から、前記天井と前記後列の座席が上に載置される前記土台の前記上方を向く表面との間の間隔の0.75倍までの範囲にある、請求項97から100のいずれか一項に記載の映画館構造。
【請求項１０２】
前記天井から下での前記映写機の前記レンズポートの高さ位置は、前記天井と前記後列の座席が上に載置される前記土台の前記上方を向く表面との間の間隔の0.3倍から、前記天井と前記後列の座席が上に載置される前記土台の前記上方を向く表面との間の間隔の0.6倍までの範囲にある、請求項97から101のいずれか一項に記載の映画館構造。
【請求項１０３】
前記天井から下での前記映写機の前記レンズポートの高さ位置は、前記天井と前記後列の座席が上に載置される前記土台の前記上方を向く表面との間の間隔の約0.5倍である、請求項97から102のいずれか一項に記載の映画館構造。
【請求項１０４】
前記映写機は、前記後列の前記土台に、前記後列の座席のそれぞれの反対の端同士の間で、実質的に中央に配置される、請求項97から103のいずれか一項に記載の映画館構造。
【請求項１０５】
前記映写機は、前記観客席に配置されると共に前記後列の座席の前記土台上に載置される筺体に配置される、請求項97から104のいずれか一項に記載の映画館構造。
【請求項１０６】
前記映写機のための前記筺体は消音筺体を備える、請求項105に記載の映画館構造。
【請求項１０７】
間隙が、前記後列の座席の前記座席同士の間に、その間に前記映写機を収容するために設けられる、請求項97から106のいずれか一項に記載の映画館構造。
【請求項１０８】
少なくとも1つの座席が、前記映写機を収容するための前記間隙を形成するために、前記後列の座席のうちから取り除かれる、請求項107に記載の映画館構造。
【請求項１０９】
少なくとも2つの座席が、前記筺体を収容するための前記間隙を形成するために、前記後列の座席のうちから取り除かれる、請求項107または108に記載の映画館構造。
【請求項１１０】
4つの座席が、前記映写機と前記映写機のための前記筺体とを収容するための前記間隙を形成するために、前記後列の座席のうちから取り除かれる、請求項107から109のいずれか一項に記載の映画館構造。
【請求項１１１】
前記観客席の中心線からずらされて前記スクリーンに対して垂直方向に延在する少なくとも1つの通路が、観客を前記座席の前記列に収容するために設けられる、請求項97から110のいずれか一項に記載の映画館構造。
【請求項１１２】
前記観客席の中心線のそれぞれの相対する側方にそれぞれずらされている一対の側方の通路が設けられる、請求項97から111のいずれか一項に記載の映画館構造。
【請求項１１３】
各側方の通路は、前記列の座席の対応する端に隣接して配置される、請求項97から112のいずれか一項に記載の映画館構造。
【請求項１１４】
中央の通路が設けられない、請求項97から113のいずれか一項に記載の映画館構造。
【請求項１１５】
前記前方の壁および前記後方の壁のそれぞれの相対する端同士に隣接して前記前方の壁と前記後方の壁との間で延在する一対の離間された側壁が設けられる、請求項97から114のいずれか一項に記載の映画館構造。
【請求項１１６】
前記側壁同士は互いと平行に延在する、請求項115に記載の映画館構造。
【請求項１１７】
前記側壁同士は前記前方の壁から垂直方向に延在する、請求項115または116に記載の映画館構造。
【請求項１１８】
前記前方の壁と前記後方の壁は互いと平行に延在する、請求項97から117のいずれか一項に記載の映画館構造。
【請求項１１９】
各側方の通路は対応する側壁に隣接して配置される、請求項97から118のいずれか一項に記載の映画館構造。
【請求項１２０】
各側方の通路は、対応する前記側壁と前記座席の前記列の対応する端との間に配置される、請求項97から119のいずれか一項に記載の映画館構造。
【請求項１２１】
前記列の座席が階段状とされる階段状角度は、前記床と21°から40°の範囲にある角度を作る、請求項97から120のいずれか一項に記載の映画館構造。
【請求項１２２】
前記列の座席が階段状とされる階段状角度は、前記床と21°から30°の範囲にある角度を作る、請求項97から121のいずれか一項に記載の映画館構造。
【請求項１２３】
前記列の座席が階段状とされる階段状角度は、前記床と約22.5°の角度を作る、請求項97から122のいずれか一項に記載の映画館構造。
【請求項１２４】
前記列の座席は互いから一定の間隔距離で離間される、請求項97から123のいずれか一項に記載の映画館構造。
【請求項１２５】
隣接する列の座席が互いから離間される前記間隔距離は、0.9メートルから1.5メートルまでの範囲にある、請求項124に記載の映画館構造。
【請求項１２６】
隣接する列の座席が互いから離間される前記間隔距離は、1メートルから1.3メートルまでの範囲にある、請求項124または125に記載の映画館構造。
【請求項１２７】
隣接する列の座席が互いから離間される前記間隔距離は、1メートルから1.2メートルまでの範囲にある、請求項124から126のいずれか一項に記載の映画館構造。
【請求項１２８】
隣接する列の座席が互いから離間される前記間隔距離は、約1メートルである、請求項124から127のいずれか一項に記載の映画館構造。
【請求項１２９】
前記座席の前記前列は前記床に配置される、請求項97から128のいずれか一項に記載の映画館構造。
【請求項１３０】
前記天井は前記床と実質的に平行に延在する、請求項97から129のいずれか一項に記載の映画館構造。
【請求項１３１】
前記床は実質的に水平に延在する、請求項97から130のいずれか一項に記載の映画館構造。
【請求項１３２】
前記スクリーンから、前記前列の中央の座席によって占められるかまたは占められるであろう前記前列の位置までの、前記スクリーンから垂直な距離が、前記観客席の幅の0.3倍以上であるように、前記前列の座席は前記スクリーンに対して配置される、請求項97から131のいずれか一項に記載の映画館構造。
【請求項１３３】
前記前方の壁に隣接しての前記観客席の高さは、前記前方の壁に隣接しての前記観客席の幅の0.4倍から、前記前方の壁に隣接しての前記観客席の幅の0.6倍までの範囲にある、請求項97から132のいずれか一項に記載の映画館構造。
【請求項１３４】
前記前方の壁に隣接しての前記観客席の高さは、前記前方の壁に隣接しての前記観客席の幅の0.45倍から、前記前方の壁に隣接しての前記観客席の幅の0.55倍までの範囲にある、請求項97から133のいずれか一項に記載の映画館構造。
【請求項１３５】
前記前方の壁に隣接しての前記観客席の高さは、前記前方の壁に隣接しての前記観客席の幅の約0.5倍である、請求項97から134のいずれか一項に記載の映画館構造。
【請求項１３６】
映画館構造を建設するための方法であって、
床を提供するステップと、
前記床から上に離間された天井を提供するステップと、
前記床と前記天井との間で延在する前方の壁を提供するステップと、
前記前方の壁から離間され、前記床と前記天井との間で延在し、前記前方の壁、前記床、および前記天井と共に観客席を画定する後方の壁を提供するステップと、
前記観客席において前記前方の壁に隣接して配置されるスクリーンを提供するステップと、
前記観客席に配置される複数列の座席を提供するステップと、
前記複数列の座席を前記後方の壁に向かって上向きに階段状とするステップと、
前記座席の後列を、前記後列の前記座席が支持される上方を向く表面を定める土台上に載置するステップであって、前記後列の座席の前記土台の前記上方を向く表面が前記天井から下で2メートル以上の高さ位置に配置されるステップと、
前記観客席内で前記後列の座席の前記土台上に映写機を載置するステップであって、前記映写機のレンズポートが、前記天井の下で、前記天井から500mm以上の高さ位置にあるステップと
を含む方法。
【発明の詳細な説明】
【技術分野】
【０００１】
本発明は、映画館構造および映画館構造を建設するための方法に関し、詳細には、限定されることはないが、スタジオ映画館の大きさの映画館構造、および、スタジオ映画館の大きさの映画館構造を建設するための方法に関する。
【背景技術】
【０００２】
観客席を備え、観客席の観客に見せるために、内部で映画が映写機によってスクリーンに投映される映画館および映画館構造が、よく知られている。一般的に、スクリーンは、観客席の前方の壁に隣接して配置され、映画の映像が、映写機によってスクリーンに投映される。映写機は、観客席の後方の壁の後ろの観客席の外部の映写室に配置され、映画は、観客席の後方の壁に形成された小窓を通して、映写機によって投映される。観客席の座席配置は、典型的には、スクリーンから概して上向きの方向に階段状になっている。しかしながら、概して、これまで公知の映画館の観客席の座席に着席している観客は、スクリーン上の映画の映像を見るとき、概して映画の出来事の一部を感じられない点において、特に心地の良いくつろげる鑑賞体験を得られてはいない。これは、大きくは、このような映画館の構造のためである。
【０００３】
これまでに公知の映画館では、概して、観客席の前方の数列に座る観客は、スクリーン上の映像を、特に不快な角度で見なければならない。概して、観客席の前方の数列に座るこのような観客は、見上げる角度でスクリーンを見なければならないため、スクリーン上の映像を見るために頭を後方に傾けなければならない。これは観客にとって不快である。概して、これまでに公知の映画館では、観客は、着席した時にスクリーンの領域全体への開けた視線を持てなかった。概して、スクリーンの下方部は、観客の前の1列または複数列の座席に着席している1人または複数人の観客によって邪魔されることが非常に多い。これもまた望ましくないことである。また、観客が座席から立ち上がったり、歩いて座席を行き来したりする場合、一般に観客の体および頭の一部の影がスクリーン上に投影される。これは特に望ましくないことである。これまでに公知の映画館ではこのような問題が組み合わさって、観客が心地の良いくつろげる鑑賞体験を得るのを妨げている。他の観客によって観客のスクリーンの視界が妨げられる問題を克服する試み、および、スクリーン上に観客の影が投影されるのを防止する試みでは、スクリーンの下縁が2から3メートルの間で映画館の床の上に離された状態で、スクリーンが映画館の前方の壁の上方部に配置されている。これは、観客席の最初の数列に座ってスクリーン上の映像を見る観客の不快感をさらに悪化させる。
【０００４】
映画産業では、特に、専門的な映画を上映するため、および、封切りした映画を比較的大きな観客席の映画館で最初に上映した後に上映するために、比較的小さい観客席を備えた映画館および映画館構造が好まれる傾向がある。これまでに公知の映画館の観客席の持つこれらの問題点は、より小さい映画館、具体的には、比較的小さいスタジオ映画館および映画館構造において、より顕著に現れてしまう。
【発明の概要】
【発明が解決しようとする課題】
【０００５】
そのため、これまでに公知の映画館構造の問題の少なくとも一部に対処する映画館構造および映画館構造を建設するための方法が、必要とされている。
【課題を解決するための手段】
【０００６】
本発明は、このような映画館構造および映画館構造を建設するための方法を対象としている。
【０００７】
本発明によれば、映画館構造が提供され、その映画館構造は、床と、床から上に離間された天井と、床と天井との間で延在する前方の壁と、前方の壁から離間され、床と天井との間で延在し、前方の壁、床、および天井と共に観客席を画定する後方の壁とを備え、観客席は、前方の壁から後方の壁までの長さが、前方の壁に沿った観客席の幅の1.2倍以下のものであり、観客席は、前方の壁に隣接しての床と天井との間の高さが、前方の壁に隣接しての観客席の幅の0.4倍から前方の壁に隣接しての観客席の幅の0.6倍までの範囲のものであり、前方の壁に隣接して配置されるスクリーンは、前方の壁に沿った長さが前方の壁に隣接しての観客席の幅と実質的に同様のものであり、高さが前方の壁に隣接しての観客席の高さと実質的に同様のものであり、複数列の座席が観客席に配置され、座席の列のうちの一部がそれぞれの土台上に載置され、それぞれの列の土台は、後方の壁に向かって概して上向きに階段状とされ、それぞれの列の座席が上に載置される上方を向く表面を有し、座席の列のうちの後列の土台の上方を向く表面は、天井から下方に、2メートルから3メートルまでの範囲の距離に離間され、座席の列のうちの前列は、映画館構造の床上に配置され、映写機のレンズポートが、天井と座席の後列の土台の上方を向く表面との間の距離の0.25倍から、天井と座席の後列の土台の上方を向く表面との間の距離の0.75倍までの範囲で、天井の下での高さ位置に配置された状態で、映写機が座席の後列の土台上に配置される。
【０００８】
好ましくは、前方の壁から後方の壁までの観客席の長さは、前方の壁に隣接しての観客席の幅の0.8倍から、前方の壁に隣接しての観客席の幅の1.2倍までの範囲にある。有利には、前方の壁から後方の壁までの観客席の長さは、前方の壁に隣接しての観客席の幅の0.9倍から、前方の壁に隣接しての観客席の幅の1.1倍までの範囲にある。理想的には、前方の壁から後方の壁までの観客席の長さは、前方の壁に隣接しての観客席の幅と実質的に同様である。
【０００９】
本発明の一態様では、後列の座席の土台の上方を向く表面は、天井から下方で、2メートルから2.5メートルの範囲の距離に離間される。好ましくは、後列の座席の土台の上方を向く表面は、天井から下方で、約2メートルの距離に離間される。
【００１０】
本発明の別の態様では、各列の座席の土台における土台の前部から土台の後部までの幅が、0.9メートルから1.5メートルの範囲にある。好ましくは、各列の座席の土台における土台の前部から土台の後部までの幅が、1メートルから1.3メートルの範囲にある。有利には、各列の座席の土台における土台の前部から土台の後部までの幅が、1メートルから1.2メートルの範囲にある。理想的には、各列の座席の土台における土台の前部から土台の後部までの幅が、約1メートルである。
【００１１】
本発明の別の実施形態では、座席の第二列の土台の上方を向く表面は、映画館構造の床から上へ、0.55メートルから0.65メートルの範囲の高さにある。好ましくは、座席の第二列の土台の上方を向く表面は、映画館構造の床から上へ、0.58メートルから0.62メートルの範囲の高さにある。有利には、座席の第二列の土台の上方を向く表面は、映画館構造の床から上へ、約0.6メートルの高さにある。
【００１２】
本発明の別の実施形態では、座席の第三列およびそれ以後の列から座席の後列までの各々の土台の上方を向く表面は、座席の直前の列の土台の上方を向く表面から上へ、0.55メートルから0.65メートルの範囲の高さにある。好ましくは、座席の第三列およびそれ以後の列から座席の後列までの各々の土台の上方を向く表面は、座席の直前の列の土台の上方を向く表面から上へ、0.58メートルから0.62メートルの範囲の高さにある。有利には、座席の第三列およびそれ以後の列から座席の後列までの各々の土台の上方を向く表面は、座席の直前の列の土台の上方を向く表面から上へ、約0.6メートルの高さにある。
【００１３】
本発明の別の実施形態では、座席の後列の土台が後方の壁に隣接して配置される。
【００１４】
本発明の別の実施形態では、座席の前列は、前列の中央にある座席、または、前列の中央にある座席が配置されるであろう位置が、前方の壁に隣接しての観客席の幅の0.3倍以上の距離でスクリーンから垂直方向に離間されるように、観客席に配置される。
【００１５】
好ましくは、座席の列は互いから等しく離間される。
【００１６】
本発明の別の実施形態では、座席の列は、映画館構造の床と、21°から40°の範囲にある階段状角度を定める。好ましくは、座席の列によって映画館構造の床と定められる階段状角度は、21°から30°の範囲にある。有利には、座席の列によって映画館構造の床と定められる階段状角度は、約22.5°である。
【００１７】
本発明のさらなる実施形態では、前方の壁に隣接しての観客席の高さは、前方の壁に隣接しての観客席の幅の0.45倍から、前方の壁に隣接しての観客席の幅の0.55倍までの範囲にある。好ましくは、前方の壁に隣接しての観客席の高さは、前方の壁に隣接しての観客席の幅の0.48倍から、前方の壁に隣接しての観客席の幅の0.52倍までの範囲にある。有利には、前方の壁に隣接しての観客席の高さは、前方の壁に隣接しての観客席の幅の約0.5倍である。
【００１８】
本発明の一実施形態では、映画館構造の天井は、映画館構造の床と実質的に平行に延在する。有利には、映画館構造の床は実質的に水平に延在する。
【００１９】
本発明の別の実施形態では、スクリーンの高さは、観客席の幅の0.4倍から、観客席の幅の0.6倍までの範囲にある。好ましくは、スクリーンの高さは、観客席の幅の0.45倍から、観客席の幅の0.55倍までの範囲にある。有利には、スクリーンの高さは、観客席の幅の約0.5倍である。
【００２０】
本発明の一実施形態では、スクリーンは実質的に水平に延びる下縁を定め、スクリーンの下縁は床の上に200mm以下で配置される。好ましくは、スクリーンの下縁は床の上に100mm以下で配置される。有利には、スクリーンの下縁は床に隣接して配置される。
【００２１】
本発明の別の態様では、映写機のレンズポートは、天井と座席の後列の土台の上方を向く表面との間の距離の0.4倍から、天井と座席の後列の土台の上方を向く表面との間の距離の0.6倍までの範囲で、天井の下での高さ位置に配置される。有利には、映写機のレンズポートは、天井と座席の後列の土台の上方を向く表面との間の距離の約0.5倍で、天井の下での高さ位置に配置される。
【００２２】
本発明の別の実施形態では、映写機は、座席の後列の土台に配置される筺体に配置される。好ましくは、映写機が配置される筺体は消音筺体を備える。有利には、映写機は、座席の後列の土台に、観客席の幅に対して実質的に中央に配置される。
【００２３】
本発明の別の態様では、観客席の一方の側方に沿って、座席の後列から前方の壁に向かって、座席の列の対応する端に隣接して延在する少なくとも1つの通路が配置される。好ましくは、観客席のそれぞれの側方に沿って、座席の後列から前方の壁に向かって、座席の列の対応する端に隣接して延在する一対の通路が設けられる。
【００２４】
本発明の別の実施形態では、一対の離間された側壁が、床と天井との間で、かつ、前方の壁および後方の壁のそれぞれの相対する端同士において前方の壁と後方の壁との間で延在する。好ましくは、側壁同士は互いと実質的に平行に延在する。
【００２５】
本発明の一態様では、各側方の通路が、隣接する側壁と、座席の列の隣接する端との間に画定される。
【００２６】
本発明の別の態様では、前列と第二列と後列とを除いた列の座席の各々は連続して延在する。
【００２７】
本発明の一実施形態では、中央の間隙が、座席の後列に、映写機を後列に収容するために画定される。
【００２８】
本発明の別の実施形態では、中央の間隙が、座席の前列および第二列に、少なくとも1台の車椅子を収容するために配置される。
【００２９】
本発明の一実施形態では、観客席の前方の壁に隣接しての観客席の幅は、5メートルから15メートルの範囲にある。
【００３０】
本発明の別の実施形態では、観客席の前方の壁に隣接しての観客席の幅は、7.5メートルから12.5メートルの範囲にある。
【００３１】
本発明のさらなる実施形態では、観客席の前方の壁に隣接しての観客席の幅は、約10メートルである。
【００３２】
また、本発明は、映画館構造を建設するための方法を提供し、その方法は、床を提供するステップと、床から上に離間された天井を提供するステップと、床と天井との間で延在する前方の壁を提供するステップと、前方の壁から離間され、床と天井との間で延在し、前方の壁、床、および天井と共に観客席を画定する後方の壁を提供するステップであって、前方の壁および後方の壁は、観客席が、前方の壁から後方の壁までの長さが、前方の壁に沿った観客席の幅の1.2倍以下のものとなるように配置され、観客席は、前方の壁に隣接しての床と天井との間の高さが、前方の壁に隣接しての観客席の幅の0.4倍から前方の壁に隣接しての観客席の幅の0.6倍までの範囲のものであるステップと、前方の壁に隣接してのスクリーンを配置するステップであって、スクリーンは、前方の壁に沿った長さが前方の壁に隣接しての観客席の幅と実質的に同様のものであり、高さが前方の壁に隣接しての観客席の高さと実質的に同様のものであるステップと、観客席においてそれぞれの土台の上方を向く面上に載置される複数列の座席を配置するステップと、座席のそれぞれの列の土台を、座席の列のうちの後列の土台の上方を向く表面が、天井から下方に、2メートルから3メートルまでの範囲の距離に離間された状態で、後方の壁に向かって概して上向きに階段状とするステップと、座席の列のうちの前列を、映画館構造の床に配置するステップと、映写機のレンズポートが、天井と後列の座席の土台の上方を向く表面との間の距離の0.25倍から、天井と後列の座席の土台の上方を向く表面との間の距離の0.75倍までの範囲で、天井の下での高さ位置に配置された状態で、映写機を後列の座席の土台上に配置するステップとを含む。
【００３３】
本発明は映画館構造も提供し、その映画館構造は、床と、床から上に離間された天井と、床と天井との間で延在する前方の壁と、前方の壁から離間され、床と天井との間で延在し、前方の壁、床、および天井と共に観客席を画定する後方の壁と、観客席において前方の壁に隣接して配置されるスクリーンと、観客席に配置され、後方の壁に向かって上向きに階段状とされた複数列の座席と、座席の後列であって、後列の座席が支持される上方を向く表面を定める土台上に載置され、後列の座席の土台の上方を向く表面が天井から下方に2メートル以上の高さ位置にある座席の後列と、観客席内に配置されると共に後列の座席の土台上に載置され、天井の下で、天井から500mm以上の高さ位置にあるレンズポートを備える映写機とを備える。
【００３４】
本発明の一実施形態では、後列の座席の土台の上方を向く表面は、天井から下で、2メートルから3メートルの範囲の高さ位置にある。好ましくは、後列の座席の土台の上方を向く表面は、天井から下で、2メートルから2.5メートルの範囲の高さ位置にある。有利には、後列の座席の土台の上方を向く表面は、天井から下で、約2メートルの高さ位置にある。
【００３５】
本発明の一実施形態では、天井から下での映写機のレンズポートの高さ位置は、天井と後列の座席が上に載置される土台の上方を向く表面との間の間隔の0.25倍から、天井と後列の座席が上に載置される土台の上方を向く表面との間の間隔の0.75倍までの範囲にある。好ましくは、天井から下での映写機のレンズポートの高さ位置は、天井と後列の座席が上に載置される土台の上方を向く表面との間の間隔の0.3倍から、天井と後列の座席が上に載置される土台の上方を向く表面との間の間隔の0.6倍までの範囲にある。有利には、天井から下での映写機のレンズポートの高さ位置は、天井と後列の座席が上に載置される土台の上方を向く表面との間の間隔の約0.5倍である。
【００３６】
本発明の別の実施形態では、映写機は、後列の土台に、後列の座席のそれぞれの反対の端同士の間で、実質的に中央に配置される。好ましくは、映写機は、観客席に配置されると共に後列の座席の土台上に載置される筺体に配置される。
【００３７】
本発明の別の実施形態では、映写機のための筺体は消音筺体を備える。
【００３８】
本発明のさらなる実施形態では、間隙が、後列の座席の座席同士の間に、その間に映写機を収容するために設けられる。好ましくは、少なくとも1つの座席が、映写機を収容するための間隙を形成するために、後列の座席のうちから取り除かれる。有利には、少なくとも2つの座席が、筺体を収容するための間隙を形成するために、後列の座席のうちから取り除かれる。理想的には、4つの座席が、映写機と映写機のための筺体とを収容するための間隙を形成するために、後列の座席のうちから取り除かれる。
【００３９】
本発明のさらなる実施形態では、観客席の中心線からずらされてスクリーンに対して垂直方向に延在する少なくとも1つの通路が、観客を座席の列に収容するために設けられる。
【００４０】
本発明の別の実施形態では、観客席の中心線のそれぞれの相対する側方にそれぞれずらされている一対の側方の通路が設けられる。好ましくは、各側方の通路は、列の座席の対応する端に隣接して配置される。
【００４１】
本発明の別の実施形態では、中央の通路が設けられない。
【００４２】
本発明のさらなる実施形態では、前方の壁および後方の壁のそれぞれの相対する端同士に隣接して前方の壁と後方の壁との間で延在する一対の離間された側壁が設けられる。好ましくは、側壁同士は互いと平行に延在する。有利には、側壁同士は前方の壁から垂直方向に延在する。
【００４３】
本発明の別の実施形態では、前方の壁と後方の壁は互いと平行に延在する。
【００４４】
好ましくは、各側方の通路は対応する側壁に隣接して配置される。
【００４５】
有利には、各側方の通路は、対応する側壁と座席の列の対応する端との間に配置される。
【００４６】
本発明の別の実施形態では、列の座席が階段状とされる階段状角度は、床と21°から40°の範囲にある角度を作る。好ましくは、列の座席が階段状とされる階段状角度は、床と21°から30°の範囲にある角度を作る。有利には、列の座席が階段状とされる階段状角度は、床と約22.5°の角度を作る。
【００４７】
本発明のさらなる実施形態では、列の座席は互いから一定の間隔距離で離間される。有利には、隣接する列の座席が互いから離間される間隔距離は、0.9メートルから1.5メートルまでの範囲にある。好ましくは、隣接する列の座席が互いから離間される間隔距離は、1メートルから1.3メートルまでの範囲にある。好ましくは、隣接する列の座席が互いから離間される間隔距離は、1メートルから1.2メートルまでの範囲にある。理想的には、隣接する列の座席が互いから離間される間隔距離は、約1メートルである。
【００４８】
本発明の別の実施形態では、座席の前列は床に配置される。
【００４９】
本発明の一態様では、天井は床と実質的に平行に延在する。
【００５０】
有利には、床は実質的に水平に延在する。
【００５１】
本発明の別の実施形態では、前列の中央の座席によって占められるかまたは占められるであろう前列の位置までの、スクリーンからの垂直距離が、観客席の幅の0.3倍以上であるように、前列の座席はスクリーンに対して配置される。
【００５２】
本発明のさらなる実施形態では、前方の壁に隣接しての観客席の高さは、前方の壁に隣接しての観客席の幅の0.4倍から、前方の壁に隣接しての観客席の幅の0.6倍までの範囲にある。好ましくは、前方の壁に隣接しての観客席の高さは、前方の壁に隣接しての観客席の幅の0.45倍から、前方の壁に隣接しての観客席の幅の0.55倍までの範囲にある。有利には、前方の壁に隣接しての観客席の高さは、前方の壁に隣接しての観客席の幅の約0.5倍である。
【００５３】
さらに、本発明は、映画館構造を建設するための方法を提供し、その方法は、床を提供するステップと、床から上に離間された天井を提供するステップと、床と天井との間で延在する前方の壁を提供するステップと、前方の壁から離間され、床と天井との間で延在し、前方の壁、床、および天井と共に観客席を画定する後方の壁を提供するステップと、観客席において前方の壁に隣接して配置されるスクリーンを提供するステップと、観客席に配置される複数列の座席を提供するステップと、複数列の座席を後方の壁に向かって上向きに階段状とするステップと、座席の後列を、後列の座席が支持される上方を向く表面を定める土台上に載置するステップであって、後列の座席の土台の上方を向く表面が天井から下で2メートル以上の高さ位置に配置されるステップと、観客席内で後列の座席の土台上に映写機を載置するステップであって、映写機のレンズポートが、天井の下で、天井から500mm以上の高さ位置にあるステップとを含む。
【発明の効果】
【００５４】
本発明の利点は数多くある。本発明による映画館構造は、観客に、映画館構造における観客席で、心地の良いくつろげる夢中になれる映画の鑑賞体験をもたらす観客席を提供する点において、これまでに公知の映画館構造の数多くの問題を克服する。具体的には、本発明による映画館構造の観客席に着席した観客は、観客があたかも映画の出来事の一部に参加しているかのように感じさせられる経験が観客にもたらされるぐらいに、夢中にさせられると共に映画の出来事の一部に事実上なってしまうような鑑賞体験が、もたらされる。実際、本発明による映画館構造の観客席に着席した観客には、非常に夢中になる鑑賞体験がもたらされ、それによって観客は、映画の出来事の一部になったかのように感じる。本発明による映画館構造の観客席に着席した観客には、概して、観客が着席した観客席の座席に関係なく、スクリーン全体で邪魔されない視界がもたらされる。スクリーン全体の観客の視界は、観客席に着席している他のどの観客によっても邪魔されず、そのため、観客はスクリーン全体に開けた視線を持つことができる。これは、映画館の構造、座席の列を階段状とすること、および、座席の列のスクリーンに対する配置によって実現される。
【００５５】
さらに、スクリーンが、前方の壁に隣接しての観客席の幅および高さで実質的に延在していることによって、観客席の観客には、非常に夢中になる鑑賞体験がもたらされ、それによって観客は、映画の出来事の一部になったかのように感じられる。また、座席の後列の土台の上方を向く表面が、映画館の天井から下方に、2メートルから3メートルの間の距離、好ましくは2メートルの距離または2メートルに近い距離で離間される高さ位置に、座席の後列の土台が配置されることによって、観客席の定員が、観客にもたらされる夢中になる鑑賞体験と干渉することなく最大化される。座席の後列の土台上に映写機を配置することによって、映画館構造を、観客席の定員が最大化されるように利用可能な空間で建設することができる。
【００５６】
映写機のレンズポートが、天井と座席の後列の土台の上方を向く表面との間の間隔の0.25倍から0.75倍の間で、天井の下での高さ位置にあるように映写機を配置することで、スクリーン上への映像の投映が最適化される。
【００５７】
また、観客席に1つの側方の通路または一対の側方の通路を提供することで、中央の通路が必要なく、したがって、それぞれの列の座席に近づいたり離れたりする観客は、1つの側方の通路または一対の側方の通路によって、列の座席に近づいたり離れたりする。それにより、中央の通路に沿って座席に歩いて行き来する観客の影によって引き起こされるであろうスクリーン上の映画の映像との干渉を回避する。座席と行き来する観客を受け入れるための1つの側方の通路または一対の側方の通路を提供することのさらなる利点は、下方へと向けられた照明が、1つの側方の通路または一対の側方の通路の階段を照らすために、1つの側方の通路または一対の側方の通路の階段に隣接する側壁に設けることができ、そのような下方へと向けられた照明は、観客の鑑賞体験に影響を与えないことである。
【００５８】
本発明は、添付の図面を参照しつつ、例だけを用いて提供される本発明のいくつかの好ましい実施形態の以下の説明から、より明確に理解されることになる。
【図面の簡単な説明】
【００５９】
【図１】本発明による映画館構造の平面図である。
【図２】図1の映画館構造の断面側からの立面図である。
【図３】本発明の別の実施形態による映画館構造の平面図である。
【図４】図3の映画館構造の断面側からの立面図である。
【図５】本発明による映画館構造の平面図である。
【図６】図5の映画館構造の断面側からの立面図である。
【発明を実施するための形態】
【００６０】
図面を参照し、先ず、図面のうちの図1および図2を参照すると、本発明による映画館構造が、参照符号1によって指示されており、本発明のこの実施形態では、専門的な映画を上映するためのスタジオ映画館として、および、封切りの映画館で最初に封切りした後の封切りした映画を上映するためのスタジオ映画館として、特に適切となっている。映画館構造1は、床2と、床2から上に離間された天井3とを備えている。前方の壁5は、映画館構造1の前方端6において、床2から天井3へと上方に延在しており、前方の壁5から離間された後方の壁8は、映画館構造1の後方端9に隣接して床2から天井3へと上方に延在している。前方の壁5および後方の壁8は、それぞれ、互いと平行に延在している。一対の離間された平行な側壁10が、床2から天井3へと上方に、前方の壁5と後方の壁8との間で延在している。側壁10は、前方の壁5および後方の壁8から垂直方向に延在し、前方の壁5、後方の壁8、床2、および天井3と共に観客席12を画定している。
【００６１】
本発明のこの実施形態では、前方の壁5と後方の壁8との間での観客席12の長さLは、側壁10同士の間での観客席12の幅Wと実質的に同様であり、その結果、平面図において、観客席12の床2の領域は正方形である。床2は水平な平面を定め、天井3も同様であり、床2から天井3までの観客席12の高さH1は、観客席12の幅Wの約半分である。
【００６２】
映画の映像が投映されるスクリーン14は、前方の壁5に隣接して取り付けられ、一方の側壁10から他方の側壁10へと観客席12の幅Wで実質的に延在しており、また、床2から天井3へと観客席12の高さH1で実質的に延在している。本発明のこの実施形態では、スクリーン14は水平に延びる下縁15を定め、その下縁15は、スクリーン14の下縁15への損傷を回避するために、かつ、スクリーン14の下縁15に隣接してスクリーン14に埃が集まるのを回避するために、映画館構造1の床2の上に約20mmから50mmまでにおいて配置される。
【００６３】
等しく離間された複数の列17の座席18が、観客席12に設けられており、後方の壁8に向かって概して上向きに階段状とされている。座席18の列17のうちの前列17aは、観客席12の床2上に配置されている。座席18の第二列17bと座席18の後に続く各列17とは、それぞれの土台20上に載置されており、土台20は、後方に向かって上向きに階段状とされて、階段状の座席18の列17を作り出している。座席18の列17および土台20は、平面で見たときに若干弓形となっており、また、スクリーン14から見たときに窪んでいる。座席18の後列17cは、後方の壁8に隣接して配置され、また、後方の壁8に同じく隣接して配置された土台20のうちの最後位土台20a上に配置される。各土台20は、対応する列17の座席18が上に載置される上方を向く表面21を定めている。本発明のこの実施形態では、最後位土台20aの上方を向く表面21は、天井3から下方に高さH2で離間されており、その高さH2は、本発明のこの実施形態では、2メートルである。土台20は、複数の傾斜梁27を備える支持構造体25で支持されており、それら傾斜梁27は、床2から梁27へと上方に延在している直立部材28に支持されている。
【００６４】
本発明のこの実施形態における各土台20の前の縁から後の縁までの幅w1は、約1mである。第二列17bの座席18の土台20bの上方を向く表面21の床2から上への高さh1は、約500mmである。第三列17dの座席18およびそれ以後の各列17の座席の土台20の上方を向く表面21は、隣接する直前の土台20の上方を向く表面21の上において約500mmの高さh2にある。したがって、各土台20の上方を向く表面21が、約1メートルの幅w1と、床2または直前の土台20の上方を向く表面21の上で約500mmの高さh1およびh2になる土台20を提供することで、座席18の列17は、床2に対して約22.5°の角度αで上向きに階段状とさせられる。列17同士は、各土台20の上方を向く表面21の幅w1に相当する水平方向の間隔距離で互いから離間され、これは、この場合では約1メートルである。
【００６５】
消音筺体23が、観客席12内において、映画の映像をスクリーン14に投映するために最後位土台20a上で支持された映写機24を収納するために、最後位土台20a上の中心に載置されている。映写機24は、アナログ映写機またはデジタル映写機であり得るが、本発明のこの実施形態では、映写機はデジタル映写機である。映写機24は、映写機24のレンズポート22の中心が、天井3の下で、最後位土台20aの上方を向く表面21と天井3との間の空間の高さH2の0.25倍である約500mmの高さ位置で、側壁10同士の間の中央において、観客席12内における筺体23の中で最後位土台20a上に載置されている。筺体23の小窓26は、映写機24から筺体23を通る映像の光線を受け入れる。間隙29が、筺体23と映写機24とを観客席12内に収容するために、4つの座席を取り除くことで、座席18の後列17cにおける中央に設けられている。
【００６６】
中央間隙33が、座席18の前列17aと、座席18の第二列17bと、座席18の第二列17bの土台20bの一部とにおいて、前列17aから前列17aの中心に隣接する7つの座席18と、座席18の第二列17bから7つの座席18と、座席18の第二列17bの土台20bの中央部分30とを取り除くことによって、設けられている。座席18の前列17aおよび第二列17bにおける中央間隙33は、床2に車椅子32を収容するように床2上に空間31を設けるために、設けられている。2つの座席34が、床2上における中央間隙33に、車椅子空間31に隣接して設けられている。
【００６７】
座席18の前列17aは、前列17aの座席のうちの中央の座席、または、前列17aの中央の座席によって占められるであろう座席18の前列17aの位置が、スクリーン14から、観客席12の幅Wの約0.3倍である、スクリーン14の幅の約0.3倍の垂直距離dで離間されるように、観客席12において配置されている。スクリーン14から、前列の中央の座席、または、中央の座席によって占められるであろう位置までの垂直距離dは、座席の着席部の中心までで測定される。
【００６８】
側方の通路35が、観客席12の各側方において、側壁10と座席18の列17の隣接する端36との間に配置され、座席18の後列17cまで後方に延在している。側方の通路35は、座席18の第二列17bの土台20bから座席18の最後から二番目の列17eの最後から二番目の土台20cまでの土台20の各々に設けられた2つの段差37によって、階段が設けられている。2つの段差38も、座席18の第二列17bの土台20bに隣接して床2上に設けられている。各側方の通路35の対応する側壁10からの幅w2は、約1メートルである。映画館構造1の前方端6に隣接する側壁10のうちの一方にある扉39は、観客を観客席12に入退場させるために、観客席12に設けられている。
【００６９】
本発明のこの実施形態では、観客席12の長さLは約10メートルであり、観客席12の幅Wは約10メートルであり、観客席12の高さH1は約5メートルである。座席18の前列17aの中央の座席またはその位置は、スクリーン14から約3メートルの垂直距離dに配置されている。これらの寸法によって、観客席12に7つの列17の座席18を配置することができ、また、座席18の前列17aと第二列17bと後列17cとを除いて、各列17は13個の座席18を備えている。前列17aおよび第二列17bはそれぞれ6個の座席18を備え、一方、後列17cは13個の座席18を備えている。したがって、これによって、観客席には77個の座席18が提供され、これによって、77人の観客と、加えて2つの車椅子空間31および介護者のための2個の座席34のための定員を有する映画館構造1を作り出す。
【００７０】
列17の座席18を約22.5°の階段状角度で提供することと、中央の座席をスクリーン14から3メートルの垂直距離dで座席18の前列17aを配置することと、土台20の上方を向く表面21を約1メートルの幅w1のものとなるように設けることによって、観客席12の幅Wと同様である約10メートルの長さLの観客席12を有する映画館構造では、観客席12の高さH1が観客席12の幅Wの約半分であるときに、座席18の後列17cの土台20aの上方を向く表面21が2メートルの高さH2で天井3から下方に離間された高さ位置にある状態で、座席18の後列17cの土台20aは配置される。これは、観客席の座席定員を最大化させることができる一方で、座席18および34に着席した観客に、心地の良いくつろげる夢中になれる映画の鑑賞体験をもたらすことができる。
【００７１】
レンズポート22を備えた映写機24を、天井3から約500mmの高さ位置でスクリーンから約9メートルの垂直距離に配置することによって、映像の光線がレンズポート22からスクリーン14へと投映される頂角θは、約30°である。最も高い土台20である最後位土台20aが天井3から2メートルにある状態で、映写機24のレンズポート22からスクリーン14へと投映される映像の光線は、観客が自身の座席18から立ち上がらない場合、観客によっては邪魔されたままである。
【００７２】
また、座席18の列17が約22.5°の階段状角度であることで、および、座席18の前列17aの中央の座席またはその位置がスクリーン14から約3メートルの距離dで離間されていることで、各列17の座席18の各観客のスクリーン14の下縁15への視線は、観客の前のいずれの列17におけるいずれの座席18に着席しているいずれの観客によっても邪魔されない。さらに、前列17aの座席18に着席している観客は、スクリーンを約69°の垂直視野角γ1で鑑賞し、後列17cの座席18の観客は、スクリーン14を約29°の垂直視野角γ2で鑑賞する。第二列17bから座席18の後列17cまでの座席の観客は、前列17aの座席18における観客の約69°の垂直視野角γ1から、後列17cにおける観客の約29°の垂直視野角γ2まで減少する垂直視野角γを有する。したがって、観客席12におけるすべての列17の座席18の観客には、心地の良いくつろげる夢中になれる映画の鑑賞体験がもたらされ、そのため、観客は、スクリーンへの視界が他の観客によって邪魔されないため、映画に夢中にさせられ、映画の出来事の一部であるかのように感じ、観客は、基本的に観客席12の他の観客の存在を意識することはない。観客にもたらされる心地の良いくつろげる夢中になれる映画の鑑賞体験は、スクリーン14が実質的に観客席の幅Wで、かつ、実質的に観客席の高さH1で延在していることによって、さらに高められる。
【００７３】
ここで図3および図4を参照すると、本発明の別の実施形態による映画館構造が、大まかには参照符号50によって指示されている。本発明のこの実施形態による映画館構造50は、図1および図2を参照しつつ説明した映画館構造1と実質的に同様であり、同様の構成要素は、同じ参照符号によって指示されている。映画館構造50と映画館構造1との間の主な違いは、映画館構造50の長さLが映画館構造1の幅Wより若干小さく、本発明のこの実施形態では長さLが約8.5メートルである点において、映画館構造50は映画館構造1より若干小さいことである。映画館構造50の幅Wは、映画館構造1の幅と同様であり、そのため約10メートルである。したがって、本発明のこの実施形態では、映画館構造の長さは映画館構造の幅の約0.85倍である。
【００７４】
映画館構造の長さLが8.5メートルであるため、映画館構造50の観客席12における座席18の列17の数は、映画館構造1における座席18の列17の数より1つ少ない。また、座席18の後列17cの土台20aの上方を向く表面21は、天井3の下で約2.5メートルの高さ位置H2にある。土台20の上方を向く表面21の、床2から上への高さh1および直前の土台20から上への高さh2は、500mmである。土台20の幅は1メートルであり、そのため、それぞれの列17の座席18は、1メートルの一定の間隔距離で離間されている。
【００７５】
座席18の前列17aは、前列17aの座席18のうちの中央の座席によって占められるであろう位置が、スクリーン14から約3メートルの垂直距離で配置されるように、配置されている。
【００７６】
列17の座席18の階段状角度は約22.5°であり、そのため、前列の観客は、スクリーンを約73°の垂直視野角γ1で鑑賞し、一方、後列17cの座席18の観客は、スクリーン14を約34°の垂直視野角γ2で鑑賞する。
【００７７】
映像の光線は、映写機24によって約36°の頂角θで投映される。
【００７８】
他の点では、映画館構造50およびその使用は、映画館構造1と同様であり、映画館構造1と実質的に同様の便益および利点を生み出す。
【００７９】
ここで図5および図6を参照すると、本発明の別の実施形態による映画館構造が、大まかには参照符号60によって指示されている。映画館構造60は、図1および図2を参照しつつ説明した映画館構造1に幾分似ており、関連する場合、同様の構成要素は同じ参照符号によって指示されている。映画館構造60と映画館構造1との間の主な違いは、映画館構造60の観客席12の長さにある。本発明のこの実施形態では、映画館構造60の観客席は、観客席12の幅Wの約1.5倍の長さLのものである。観客席12の幅は10メートルである。
【００８０】
しかしながら、映画館構造60では、後列17cの座席18の土台20aの上方を向く表面21は、映画館構造60の天井3の下で2メートルの高さ位置H2にある。映写機24は、映写機24のレンズポート22が映画館構造60の天井3の下で500mmの高さ位置にある状態で、後列17cの座席18の土台20aの上方を向く表面21上の中心にある消音筺体23内に配置されている。
【００８１】
列17の座席18の階段状角度は約22.5°である。
【００８２】
前列17aの座席18に着席した観客は、スクリーン14を約73°の垂直視野角γ1で鑑賞し、後列17cの座席18に着席した観客は、スクリーン14を約28°の垂直視野角γ2で鑑賞する。
【００８３】
映像の光線は、映写機24によって約30°の頂角θで投映される。
【００８４】
本発明のこの実施形態による映画館構造60も、心地の良いくつろげる夢中になれる映画の鑑賞体験を観客にもたらし、それによって観客は、映画の出来事の一部になったかのように感じられることが分かった。後列17cの座席18の土台20aを、天井の下で約2メートルの高さ位置H2に配置することで、列17の座席18を許容可能な最大限の階段状にでき、それによって、観客のスクリーン14の下縁15への視線が前の列の座席に着席している観客によって妨げられないことを確保すると考えられる。さらに、スクリーンが、前方の壁5に隣接する観客席の幅および高さのほぼ全体を占めるため、映画館構造60の観客席12における観客の心地の良いくつろげる夢中になれる映画の鑑賞体験は、さらに向上する。また、後列17cの座席18の土台20の上方を向く表面21を天井3の下で2メートルの高さ位置に配置することと、観客の鑑賞体験を心地の良いくつろげる夢中になれるものにできることによって、映画館構造60の観客席12における座席18の数および列17の数を最大化することもでき、それによって、映画館構造60の観客席12の定員を最大化している。
【００８５】
観客席が、観客席の幅と等しい長さLのものであり、かつ、観客席の前方の壁に隣接しての観客席の高さH1が観客席の幅の約半分のものである、図1〜図4の映画館構造1および映画館構造50を参照しつつ説明したような映画館構造を提供することは、多くの利点を提供する。具体的には、観客が非常に心地の良いくつろげる夢中になれる映画の鑑賞体験を経験する観客席を提供する。観客席の高さH1を観客席の幅の約半分で提供することの特に重要な利点は、映画スクリーンの理想的なアスペクト比が2:1であるため、言い換えれば、映画スクリーンの理想的な幅がその高さの2倍であるべきため、スクリーンが観客席の前方の壁全体を占めることができることである。観客席の前方の壁の領域全体を占めるスクリーンのおかげで、心地の良いくつろげる夢中になれる映画の鑑賞体験を生み出すことに貢献している。
【００８６】
図1〜図4を参照しつつ説明した映画館構造1および映画館構造50に関して、観客席の高さが観客席の幅の半分と等しくないときであっても、観客席の高さが観客席の幅の半分に近づくにつれて鑑賞体験はさらに向上するが、許容可能な鑑賞体験は、観客席の高さが観客席の幅の0.4倍から観客席の幅の0.6倍までの範囲にあると実現可能であることが分かった。
【００８７】
映画館構造に、観客席の幅と実質的に等しい長さの観客席を設けることは、観客のスクリーンからの最大距離が観客席の幅より小さくなることを確保した特にくつろげる形式の観客席を作り出す。これは、鑑賞体験をさらに向上する。しかしながら、観客席の長さが観客席の幅より大きいときであっても、許容可能な鑑賞体験は、観客席の長さが観客席の幅の0.8倍から観客席の幅の1.2倍までの範囲にあれば実現できることが分かった。
【００８８】
列の座席を観客席の床に対して約22.5°の階段状角度で階段状にすることは、観客のスクリーンの下縁への視線が、スクリーンが観客席の幅および高さを超えるときでも、観客席に着席する他の観客によって邪魔されない点において、本発明の特に重要な利点を提供する。言い換えれば、各観客は、すべての観客が観客席に着席したままであっても、スクリーンの下縁への開けた視線を有している。本発明のこの態様は、前列の中央の座席、または、前列の中央の座席によって占められるであろう位置のスクリーンからの垂直距離が観客席の幅の0.3倍以上であるようなスクリーンからの距離に、前列の座席を配置することによって、さらに高められる。各観客にスクリーンの下縁への開けた視線を提供することによって、各観客は、スクリーン全体の完全な邪魔されない視界を有している。これは、観客の心地の良いくつろげる夢中になれる映画の鑑賞体験をさらに向上する。
【００８９】
後列の座席の土台に、天井の下で2から3メートルの間の高さ位置で上方を向く表面を提供することによって、観客席の最大の座席定員を実現できる一方で、同時に、観客の心地の良いくつろげる夢中になれる映画の鑑賞体験には、悪影響を与えない。
【００９０】
映写機を観客席において後列の座席の土台上に配置することによって、映画館構造の利用可能な空間の利用率をさらに高め、それによって、映画館構造の座席定員を最大化することができる。映写機を、観客席内の後列の座席の土台上に配置された消音筺体内に配置することによって、観客の心地の良いくつろげる夢中になれる映画の鑑賞体験が影響を受けないままであることを確保している。
【００９１】
席の列を、互いから約1メートルの水平方向の間隔距離の間隔とすることは、映画館構造における観客の快適性をさらに高める。実際、席の列が観客席で配置される水平方向の間隔距離は、観客の心地の良いくつろげる夢中になれる映画の鑑賞体験に悪影響を与えない場合、0.9メートルから1.5メートルの範囲内にあり得ることが分かった。
【００９２】
天井の下で500mm以上の高さ位置、好ましくは、天井から下で天井と後列の座席の土台の上方を向く表面との間の間隔の0.25倍から0.75倍の間での高さ位置にレンズポートがある状態で映写機を提供することによって、映画の映像の光線を、スクリーン上に投映される映画の映像の歪みを最小にすると共に効果的に排除する角度で、映写機からスクリーン上に投映させることができる。これは、観客の心地の良いくつろげる夢中になれる映画の鑑賞体験をさらに向上する。
【００９３】
天井から下で2から3メートルの間の高さ位置に上方を向く表面を備えた後列の座席の土台を提供することによって、かつ、天井と後列の座席の土台の上方を向く表面との間の間隔の0.25倍から0.75倍の間での高さ位置、好ましくは、天井から下で500mmの高さ位置にレンズポートがある状態で、映写機を後列の座席の土台上に配置することによって、映写機によってスクリーン上に投映される映画の映像の光線を妨げることは、座席に着席している観客によっては回避され、それによって、着席する観客の影がスクリーン上に投影される虞はない。
【００９４】
ここで、図5および図6を参照しつつ説明した映画館構造60を見ると、図5および図6の映画館構造60では、観客席の長さが観客席の幅の1.2倍を超える場合であっても、観客席の長さが観客席の幅の約1.5倍である場合に、天井の下で2から3メートルの間の高さ位置にある上方を向く表面を有する土台に後列の座席を提供することによって、有益な利点を実現できることが分かった。後列の座席の土台の上方を向く表面を天井に対してそのように配置することによって、前に着席する観客が後に着席する観客のスクリーンの下縁への視線を妨げることを最小限にするだけの合理的な角度で、観客席の座席を階段状にすることができる。さらに、後列の座席の土台上に映写機を中心に配置することによって、かつ、天井から下で約0.5メートルの高さ位置にレンズポートがある状態で映写機を配置することによって、実質的に歪んでいない映画の映像がスクリーン上に投映される。さらに、後列の座席の土台と映写機のレンズポートの高さ位置との間のこの関係で、着席する観客による、映写機によってスクリーン上に投映される映像の光線との干渉は、回避される。したがって、観客席の長さが観客席の幅の1.2倍を超える映画館構造であっても、後列の座席の土台が天井の下で1から3メートルの間の高さ位置に配置され、かつ、映写機のレンズポートが天井の下で約500mmの高さ位置にある状態で、映写機が後列の座席の土台の中央に配置されれば、観客は、このような映画館構造の観客席で、心地の良いくつろげる夢中になれる映画の鑑賞体験をなおも楽しむことができる。
【００９５】
心地の良いくつろげる夢中になれる映画の鑑賞体験をもたらすと共に、後列の座席の土台と映写機のレンズポートとを前述のように配置することは、観客席の定員を最大化することもでき、映画館構造の利用可能な空間を最大限に利用することができる。
【００９６】
前述した映画館構造は、具体的な寸法の観客席12と、具体的な角度で階段状とされた列の座席とを備えているが、他の寸法の映画館構造が、他の値の階段状角度で提供されてもよいことは理解されるだろう。これらの寸法および角度の限度は、本明細書で詳述されている。しかしながら、本発明による映画館構造の観客席の長さは、図1〜図4の映画館構造1および映画館構造50の場合、観客席の幅の0.8倍から観客席の幅の1.2倍までの範囲内にあるべきである。また、本発明による映画館構造の観客席における列の座席の階段状角度は、2から40°の間にあるべきである。また、最後位土台の上方を向く表面の天井の下での間隔は、3メートルを超えるべきでなく、好ましくは、2メートルから3メートルの間にあるべきであり、また、観客席の座席定員を最大化するためには、最後位土台の上方を向く表面の天井の下での間隔は約2メートルであるべきである。
【符号の説明】
【００９７】
1  映画館構造
2  床
3  天井
5  前方の壁
6  前方端
8  後方の壁
9  後方端
10  側壁
12  観客席
14  スクリーン
15  下縁
17  列
17a  前列
17b  第二列
17c  後列
17d  第三列
17e  最後から二番目の列
18  座席
20  土台
20a  最後位土台
20b  土台
20c  最後から二番目の土台
21  上方を向く表面
22  レンズポート
23  消音筺体
24  映写機
26  小窓
29  間隙
30  中央部分
31  車椅子空間
32  車椅子
33  中央間隙
34  座席
35  側方の通路
36  端
37  段差
38  段差
39  扉
50  映画館構造
60  映画館構造
d  垂直距離
H1  高さ
H2  高さ
h1  高さ
h2  高さ
L  長さ
W  幅
w1  幅
w2  幅
γ  垂直視野角
γ1  垂直視野角
γ2  垂直視野角
θ  頂角
【図１】
2015504495.tif 000003
【図２】
2015504495.tif 000004
【図３】
2015504495.tif 000005
【図４】
2015504495.tif 000006
【図５】
2015504495.tif 000007
【図６】
2015504495.tif 000008
【国際調査報告】
2015504495.tif 000009
2015504495.tif 000010
2015504495.tif 000011